(57)【特許請求の範囲】
【請求項１】
骨伝導スピーカと骨伝導マイクロホンとを重ねた状態にて一体に備える骨伝導デバイスユニットであって、前記ユニットは、内部を仕切板によってスピーカ用スペースとマイクロホン用スペースとに仕切ったユニットケースを設け、ボイスコイルとマグネットとを担持したヨークに所定の間隙を保持して振動板を固定して成る前記骨伝導スピーカを、前記振動板を前記仕切板の前記スピーカ用スペース側側面に固定することによって設置し、また、前記マイクロホン用スペース内に骨伝導マイクロホンを、その骨振動ピックアップ面を前記ユニットケースの内側面に、前記仕切板との間に間隙が保持されるように固定することにより設置して成り、前記ユニットは、それを装備すべき機器の筐体との間のアイソレーションを確保するための弾性材を介して前記機器の筐体に装備されることを特徴とする骨伝導デバイスユニット。
【請求項２】
骨伝導スピーカと骨伝導マイクロホンとを重ねた状態にて一体に備える骨伝導デバイスユニットであって、前記ユニットは前記骨伝導マイクロホンを収納するマイクロホンケースを有し、前記骨伝導マイクロホンは、その骨振動ピックアップ面が前記マイクロホンケースの一内側面に固定され且つ反対側の内側面との間に間隙を保持して前記マイクロホンケース内に設置され、ボイスコイルとマグネットとを担持したヨークに所定の間隙を保持して振動板を固定して成る前記骨伝導スピーカは、その振動板を、前記マイクロホンケースの外側面に固定することにより設置され、前記ユニットは、それを装備すべき機器の筐体との間のアイソレーションを確保するために、前記骨伝導スピーカを支持する弾性資材製のスピーカホルダーを介して前記機器の筐体に装備されることを特徴とする骨伝導デバイスユニット。
【請求項３】
前記スピーカホルダーは、前記骨伝導スピーカの担持部と前記骨伝導スピーカの振動板露出部とを備え、前記振動板露出部を通して前記振動板を前記マイクロホンケースに固定した請求項２に記載の骨伝導デバイスユニット。
【請求項４】
請求項１に記載の骨伝導デバイスユニットを筺体に埋設した携帯電話機。
【請求項５】
請求項２に記載の骨伝導デバイスユニットを筺体に埋設した携帯電話機。
【請求項６】
耳に当接する一対のヘッドパッドを有するヘッドセットにおいて、請求項１に記載の骨伝導デバイスユニットを、一方又は双方の前記ヘッドパッド内に組み込んだヘッドセット。
【請求項７】
耳に当接する一対のヘッドパッドを有するヘッドセットにおいて、請求項２又は３に記載の骨伝導デバイスユニットを、一方又は双方の前記ヘッドパッド内に組み込んだヘッドセット。
【発明の詳細な説明】
【技術分野】
【０００１】  本発明は骨伝導デバイスユニット並びにそれを用いた携帯電話機及びヘッドセット、より詳細には、骨伝導スピーカと骨伝導マイクロホンをコンパクトに一体化したユニットで、携帯電話機やヘッドセットに組み込んで双方向通話を可能にする骨伝導デバイスユニット、並びに、それを用いた携帯電話機及びヘッドセットに関するものである。
【背景技術】
【０００２】  骨伝導スピーカは、音声信号を振動に変えて骨伝導音として聴覚器官に伝達するものであり、逆に骨伝導マイクロホンは、骨伝導音の振動をピックアップして電気信号に変えて送信するものである。この２種の骨伝導デバイスを併せ用いることにより、送受話が可能となる。【０００３】  この骨伝導スピーカと骨伝導マイクロホンとを併せ用いる送受話装置としては、特開２００３−１３４５８１号公報に記載のものがある。その装置は面体又は帽体のストラップ装着用であって、骨伝導スピーカ３１と骨伝導マイクロホン３４とを収納した回動ケース３２と、回動ケース３２を軸支する支持体３５とから成り、支持体３５が面体又は帽体のストラップに対する係止手段３７、３８を備えていることを特徴とするものである（図９）。【０００４】  上記従来の送受話装置の場合は、骨伝導スピーカ３１と骨伝導マイクロホン３４とが並置される構造のため、取り付け面積が広くなり、携帯電話機等のように、設置スペースが少なくて限られているものに組み込むのには適さない。【０００５】
【特許文献１】特開２００３−１３４５８１号公報
【特許文献２】特開２００１−３２０７９０号公報
【特許文献３】特許第２２０７１５８号公報
【発明の開示】
【発明が解決しようとする課題】
【０００６】  上述したように、従来の送受話装置において、骨伝導スピーカと骨伝導マイクロホンとを併せ用いる場合、両デバイスの設置に広いスペースが必要となるため、設置スペースが限られているものの場合には、両デバイスを併せ用いる構成を採用することが実際上困難であった。【０００７】  そこで本発明は、骨伝導スピーカと骨伝導マイクロホンとがコンパクトに合体していて、携帯電話機のように設置スペースが限られているような場合にも、両デバイスを併せ用いて送受話を行なうことを可能にした骨伝導デバイスユニット、並びに、それを用いた携帯電話機及びヘッドセットを提供することを課題とする。
【課題を解決するための手段】
【０００８】
本発明は、骨伝導スピーカと骨伝導マイクロホンとを重ねた状態にて一体に備える骨伝導デバイスユニットであって、前記ユニットは、内部を仕切板によってスピーカ用スペースとマイクロホン用スペースとに仕切ったユニットケースを設け、ボイスコイルとマグネットとを担持したヨークに所定の間隙を保持して振動板を固定して成る前記骨伝導スピーカを、前記振動板を前記仕切板の前記スピーカ用スペース側側面に固定することによって設置し、また、前記マイクロホン用スペース内に骨伝導マイクロホンを、その骨振動ピックアップ面を前記ユニットケースの内側面に、前記仕切板との間に間隙が保持されるように固定することにより設置して成り、前記ユニットは、それを装備すべき機器の筐体との間のアイソレーションを確保するための弾性材を介して前記機器の筐体に装備されることを特徴とする骨伝導デバイスユニット、を以て上記課題を解決した。 
【０００９】
本発明はまた、骨伝導スピーカと骨伝導マイクロホンとを重ねた状態にて一体に備える骨伝導デバイスユニットであって、前記ユニットは前記骨伝導マイクロホンを収納するマイクロホンケースを有し、前記骨伝導マイクロホンは、その骨振動ピックアップ面が前記マイクロホンケースの一内側面に固定され且つ反対側の内側面との間に間隙を保持して前記マイクロホンケース内に設置され、ボイスコイルとマグネットとを担持したヨークに所定の間隙を保持して振動板を固定して成る前記骨伝導スピーカは、その振動板を、前記マイクロホンケースの外側面に固定することにより設置され、前記ユニットは、それを装備すべき機器の筐体との間のアイソレーションを確保するために、前記骨伝導スピーカを支持する弾性資材製のスピーカホルダーを介して前記機器の筐体に装備されることを特徴とする骨伝導デバイスユニット、を以て上記課題を解決した。
【００１０】  好ましくはこの場合、前記骨伝導スピーカは、弾性資材製のスピーカホルダーに支持され、前記スピーカホルダーは、前記骨伝導スピーカの担持部と前記骨伝導スピーカの振動板露出部とを備え、前記振動板露出部を通して前記骨伝導マイクロホンのケースを前記振動板に固定される構成とする。【００１１】  以上いずれの場合においても、各骨伝導デバイスユニットは、携帯電話機の筐体に埋設可能にされ、あるいは、ヘッドセットの一方又は双方のパッドケース内に組み込み可能にされる。
【発明の効果】
【００１２】  本発明に係る骨伝導デバイスユニットは、骨伝導スピーカと骨伝導マイクロホンとがコンパクトに一体化されているので、設置スペースを取らず、設置スペースが限られている携帯電話機等に用いるのに好適である。【００１３】  本発明に係る骨伝導デバイスユニットを用いた送受話装置においては、送話及び受話共に骨伝導方式によるため、高騒音下であっても通信が可能であり、特に骨伝導マイクロホンは外部騒音の影響を受けにくいので、騒音下での音声入力用デバイスとして好適である。
【発明を実施するための最良の形態】
【００１４】  本発明を実施するための好ましい形態について、図面を参照しつつ説明する。先ず、図１に示される本発明に係る骨伝導デバイスユニットの第１の実施形態について説明する。【００１５】  それは、内部を仕切板２によって、スピーカ用スペース３とマイクロホン用スペース４とに仕切ったユニットケース１内に、骨伝導スピーカ５と骨伝導マイクロホン６とを設置したものである。【００１６】  通例、骨伝導スピーカ５は、ボイスコイル７とマグネット８を担持したヨーク９に、所定の間隙を保持して振動板１０を固定したものとして構成され、振動板１０の中央開口部に臨ませて、厚手のプレートヨーク１１が定置される（図２参照）。図１及び図２に示す骨伝導スピーカは、マグネット８をボイスコイル７の外側に配置する、所謂外磁型であるが、マグネット８をボイスコイル７の内側に配置する、所謂内磁型のものとすることもできる。【００１７】  かかる構成の骨伝導スピーカ５は、スピーカ用スペース３内に配置され、その振動板１０のプレートヨーク１１が仕切板２に固定されることによってそこに設置される。かくして音声信号に基く振動板１０の振動は、仕切板２からユニットケース１全体に伝わり、ユニットケース１が振動することにより出力されることになる。【００１８】  骨伝導マイクロホン６は、実質的に骨伝導スピーカ５と同一構成として、その振動板１０（プレートヨーク１１）を骨振動ピックアップ手段としたものであってもよいし、ピエゾタイプの振動ピックアップ素子を内蔵したものであってもよい。【００１９】  骨伝導マイクロホン６は、そのマイクロホン用スペース４内に配置され、その骨振動ピックアップ手段が、骨振動ピックアップ面１２となるユニットケース１の側面の内側に固定されることによって、マイクロホン用スペース４内に設置される。かくして、ユニットケース１に伝達される頭骨の骨振動は、骨振動ピックアップ面１２を介してピックアップされ、電気信号に変換されて送られる。【００２０】  ユニットケース１にはリード線引出口１３が形成され、そこから、骨伝導スピーカ５及び骨伝導マイクロホン６から出るリード線１４が引き出される。【００２１】  この骨伝導デバイスユニットの場合は、単一のケース１内に骨伝導スピーカ５と骨伝導マイクロホン６とが収納されることになるので、同時双方向通話は難しいが、骨伝導スピーカ５による受信と骨伝導マイクロホン６からの送信とを切り換える電気的又は機械的スイッチを、これらのデバイスを接続する通信機器に設置することにより、双方向通話が可能となる。【００２２】  図３は、上記第１の実施形態に係る骨伝導デバイスユニットの携帯電話機への組み込み方法の一例を示すものである。その場合電話機ケース１５に、内面全体にゴム、プラスチック等の制振性を有する弾性材１７を定着した凹陥部１６が形成され、該凹陥部１６内に本骨伝導デバイスユニットが嵌装される。その際、ユニットケース１の骨振動ピックアップ面１２が、少し迫り出た状態となるように設計される。また、弾性材１７及び凹陥部１６の一側面を貫いて、リード線１４を引出すリード線引出孔１８が形成される。【００２３】  本骨伝導デバイスユニットはこのように、制振作用のある弾性材１���を介して凹陥部１６内に嵌装されるため、その振動の伝達が抑止され、その電話機ケース１５に対するアイソレーションが確保される。【００２４】  次に、本発明に係る骨伝導デバイスユニットの第２の実施形態について、図４乃至図８を参照しつつ説明する。第２の実施形態においては、上記と同様構成の骨伝導スピーカ５の振動板１０（プレートヨーク１１）に、上記と同様構成の骨伝導マイクロホン６を内蔵したマイクロホンケース２０が固定される。その固定は、通例、マイクロホンケース２０の裏面中央部に設けた突部２１を振動板１０（プレートヨーク１１）に固定することよって行なう。【００２５】  より好ましい実施形態においては、骨伝導スピーカ５は、ゴム、プラスチック等の制振性を有する弾性資材製のスピーカホルダー２２によって支持される。スピーカホルダー２２は、図に示すように、円形基体の上下に円孔を穿設した固定用突部２３を備え、また、一側面にスピーカ抱持部２４が形成され、他側面に開口２５が形成されたものである。【００２６】  骨伝導スピーカ５は、そのプレートヨーク１１を開口２５内に臨ませた状態にて、スピーカ抱持部２４に抱持される。そして、マイクロホンケース２０の突部２１を、開口２５内に臨ませてプレートヨーク１１に固定する。その際、開口２５の周縁部とマイクロホンケース２０の対向面との間に、若干の間隙を保持させる。【００２７】  図６は、この第２の実施形態に係る骨伝導デバイスユニットの携帯電話機への組み込み例を示すもので、この場合は電話機ケース１５にユニット設置用開口２６が形成され、ユニット設置用開口２６の内側縁辺に、メネジ筒２７が立設される。【００２８】  上記のようにして骨伝導デバイスユニットを支持したスピーカホルダー２２は、その固定用突部２３の円孔内にメネジ筒２７を挿入させ、ネジ止めすることにより、ユニット設置用開口２６内に設置される。その際、マイクロホンケース２０の骨振動ピックアップ面１２が、ユニット設置用開口２６から迫り出した状態となるように設計される。【００２９】  図７は、この第２の実施形態に係る骨伝導デバイスユニットを、例えば、図８に示すようなヘッドセット２９に組む込む場合の構成例を示すものである。この場合も、上記同様に、ヘッドパッド３０内に設置されるインナーケース３１にユニット設置用開口３２とメネジ筒３３を設け、同様にして取り付ける。その場合、骨振動ピックアップ面１２がヘッドパッド３０から露出するようにすることが好ましい。【００３０】  この発明をある程度詳細にその最も好ましい実施態様について説明してきたが、この発明の精神と範囲に反することなしに広範に異なる実施態様を構成することができることは明白なので、この発明は添付請求の範囲において限定した以外はその特定の実施態様に制約されるものではない。
【図面の簡単な説明】
【００３１】
【図１】本発明の第１の実施形態の縦断面図である。
【図２】本発明において用いる骨伝導スピーカの構成例を示す図である。
【図３】本発明の第１の実施形態に係る骨伝導デバイスユニットの携帯電話機への組み込み方法を示す図である。
【図４】本発明の第２の実施形態の縦断面図である。
【図５】本発明の第２の実施形態におけるスピーカホルダーの形状例を示す図である。
【図６】本発明の第２の実施形態に係る骨伝導デバイスユニットの携帯電話機への組み込み方法を示す図である。
【図７】本発明の第２の実施形態に係る骨伝導デバイスユニットのヘッドセットへの組み込み方法を示す図である。
【図８】本発明に係る骨伝導デバイスユニットを組み込むヘッドセットの構成例を示す図である。
【図９】従来の骨伝導スピーカと骨伝導マイクロホンとを併せ備えた送受話装置の構成例を示す図である。
【図１】
0004307488.tif 000002
【図２】
0004307488.tif 000003
【図３】
0004307488.tif 000004
【図４】
0004307488.tif 000005
【図５】
0004307488.tif 000006
【図６】
0004307488.tif 000007
【図７】
0004307488.tif 000008
【図８】
0004307488.tif 000009
【図９】
0004307488.tif 000010